【事件の表示】
　商願２０１８−９０４９拒絶査定不服審判事件について，次のとおり審決する。
【結　論】
　原査定を取り消す。
　本願商標は，登録すべきものとする。
【理　由】
１　本願商標
　本願商標は，「緑健青汁」の文字を標準文字により表してなり，第３２類「青汁を含有するビール，青汁を含有するビール風味の麦芽発泡酒，飲料用青汁，粉末状の飲料用青汁，飲料用青汁のもと，粉末状の飲料用青汁のもと，青汁を含有するスムージー，青汁を含有するスムージーのもと，青汁を含有する清涼飲料，青汁を含有する清涼飲料のもと，青汁を含有する果実飲料，青汁を含有する果実飲料のもと，青汁を含有する飲料用野菜ジュース，青汁を含有する飲料用野菜ジュースのもと，青汁を含有するコーヒーシロップ，青汁を含有するシャーベット水，青汁を含有するトマトジュース，青汁を含有するシロップ，青汁を含有するビール製造用ホップエキス，青汁を含有する麦芽汁，青汁を含有するビール製造用麦芽汁，青汁を含有する乳清飲料，青汁を含有する乳清飲料のもと，青汁を含有するアルコール分を含まない飲料，青汁を含有するアルコール分を含まない飲料のもと，青汁を含有する飲料製造用調製品」を指定商品として，平成３０年１月２３日に登録出願されたものである。
　
２　原査定の拒絶の理由の要点
　原査定において，本願商標が商標法第４条第１項第１１号に該当するとして，本願の拒絶の理由に引用した登録商標は，以下のとおりであり，現に有効に存続しているものである。
（１）登録第４２４３６５９号商標（以下「引用商標１」という。）は，「りょくけん」の文字からなり，平成９年３月７日に登録出願，第２９類に属する商標登録原簿に記載のとおりの商品を指定商品として，同１１年２月２６日に設定登録されたものである。
（２）登録第５７８０７６２号商標（以下「引用商標２」という。）は，「ＲＹＯＫＵＫＥＮ」の文字を標準文字で表してなり，平成２７年３月２７日に登録出願，第３２類に属する商標登録原簿に記載のとおりの商品を指定商品として，同年７月２４日に設定登録されたものである。
（３）登録第６０３８２２８号商標（以下「引用商標３」という。）は，「りょっけん青汁」の文字を標準文字で表してなり，平成２５年１１月２８日に登録出願，第５類，第２９類及び第３２類に属する商標登録原簿に記載のとおりの商品を指定商品として，同３０年４月２７日に設定登録されたものである。
（４）登録第６０７５５５６号商標（商願２０１３−９７７９２）（以下「引用商標４」という。）は，「緑健青汁」の文字を標準文字で表してなり，平成２５年１１月２８日に登録出願，第５類，第２９類及び第３２類に属する商標登録原簿に記載のとおりの商品を指定商品として，同３０年８月３１日に設定登録されたものである。
（５）登録第６０７５５５７号商標（商願２０１５−１０７５７９）（以下「引用商標５」という。）は，「りょくけん青汁」の文字を標準文字で表してなり，平成２７年１０月２０日に登録出願，第５類，第２９類及び第３２類に属する商標登録原簿に記載のとおりの商品を指定商品として，同３０年８月３１日に設定登録されたものである。
（６）登録第６０７５５５８号商標（商願２０１５−１０７５８０）（以下「引用商標６」という。）は，「緑健」の文字を標準文字で表してなり，平成２７年１０月２０日に登録出願，第５類，第２９類及び第３２類に属する商標登録原簿に記載のとおりの商品を指定商品として，同３０年８月３１日に設定登録されたものである。
（７）登録第６０７５５５９号商標（商願２０１５−１０７５８１）（以下「引用商標７」という。）は，「りょくけん」及び「リョクケン」の文字を二段に横書きしてなり，平成２７年１０月２０日に登録出願，第５類，第２９類及び第３２類に属する商標登録原簿に記載のとおりの商品を指定商品として，同３０年８月３１日に設定登録されたものである。
（８）登録第６０７５５６０号商標（商願２０１５−１０７５８２）（以下「引用商標８」という。）は，「りょっけん」及び「リョッケン」の文字を二段に横書きしてなり，平成２７年１０月２０日に登録出願，第５類，第２９類及び第３２類に属する商標登録原簿に記載のとおりの商品を指定商品として，同３０年８月３１日に設定登録されたものである。
（９）登録第６１３１２３４号商標（商願２０１８−５０２２０）（以下「引用商標９」という。）は，「緑健」の文字を標準文字で表してなり，平成２７年１０月２０日に登録出願された商願２０１５−１０７５８０に係る商標法第１０条第１項の規定による商標登録出願（分割出願）として，同３０年４月４日に登録出願，第２９類及び第３２類に属する商標登録原簿に記載のとおりの商品を指定商品として，同３１年３月２２日に設定登録されたものである。
（１０）登録第６１０８０５５号商標（商願２０１８−５０２２２）（以下「引用商標１０」という。）は，「りょっけん」及び「リョッケン」の文字を二段に横書きしてなり，平成２７年１０月２０日に登録出願された商願２０１５−１０７５８２に係る商標法第１０条第１項の規定による商標登録出願（分割出願）として，同３０年４月４日に登録出願，第２９類及び第３２類に属する商標登録原簿に記載のとおりの商品を指定商品として，同年１２月２１日に設定登録されたものである。
　
３　当審の判断 
（１）本願商標と引用商標１及び引用商標２との類否について（以下，この項において引用商標１と引用商標２をまとめていうときは，単に「引用各商標」という。）
　ア　本願商標
　本願商標は，上記１のとおり，「緑健青汁」の文字を標準文字で表してなるところ，当該文字は，「緑健」の文字と「青汁」の文字とを組み合わせてなるものと看取，把握されるものであり，また，その構成中，「緑健」の文字は，辞書類に載録された既成の語ではなく，かつ，特定の意味合いを想起させる語として一般に知られているものではない一方，「青汁」の文字は，「緑色の汁。ケールなど緑色の生野菜をしぼった汁。」（「広辞苑第七版」株式会社岩波書店発行）を意味する語であって，本願指定商品との関係においては，その商品の品質又は原材料を表す部分ということができる。
　そうすると，本願商標は，その構成中の「緑健」の文字部分が，看者に対し，強く支配的な印象を与えるとみるのが相当である。
　してみれば，本願商標は，その構成中の「緑健」の文字部分を要部として抽出し，これと他の商標とを比較して，商標の類否の判断をすることも許されるというべきである。
　ところで，「学期」，「楽器」，「国旗」，「食器」，「速記」，「復帰」，「躍起」，「国権」，「特権」，「復権」のように，中間音の「ク」の後にカ行の音が続くときには，促音化する傾向があることは経験則上知り得るところであるから，「緑健」の文字部分からは「リョクケン」の「ク」の音が促音化した「リョッケン」の称呼が自然に生じるものである。
　したがって，本願商標は，その構成中の要部である「緑健」の文字部分より「リョッケン」の称呼を生じ，特定の観念を生じないものである。
　イ　引用各商標
　上記２（１）及び（２）のとおり，引用商標１は「りょくけん」の文字よりなり，引用商標２は「ＲＹＯＫＵＫＥＮ」の文字よりなるところ，当該各文字は，いずれも辞書類に載録された既成の語ではなく，かつ，特定の意味合いを想起させる語として一般に知られているものではない。
　したがって，引用各商標は，いずれも，その構成文字に相応する「リョクケン」の称呼を生じ，特定の観念を生じないものである。
　ウ　本願商標と引用各商標との類否
　本願商標と引用各商標とは，それぞれ，上記ア及びイのとおりの構成からなるところ，本願商標の要部である「緑健」の文字と引用各商標とは，文字種及び構成文字数の相違により，外観においては判然と区別し得る。
　そして，称呼については，本願商標の要部から生じる「リョッケン」と引用各商標から生じる「リョクケン」とは，称呼の識別上明瞭に聴取される語頭の「リョ」において促音を伴うか否かの差異を有するものであり，次の音において「ク」の有無があって共に４音という短い音構成にあっては，その差異が称呼全体に与える影響は大きく，それぞれを一連に称呼するときには，語調，語感を異にし，互いに聴別し得るものというのが相当である。
　さらに，観念においては，本願商標と引用各商標は，いずれも特定の観念を生じないものであるから，比較することができない。
　そうすると，本願商標と引用各商標とは，観念において比較することができないとしても，外観及び称呼において相紛れるおそれのないものであるから，これらが需要者に与える印象，記憶，連想等を総合して勘案すれば，両商標は，非類似の商標というべきである。
　したがって，本願商標と引用各商標とは，非類似の商標であるから，その指定商品が同一又は類似のものであるとしても，本願商標が商標法第４条第１項第１１号に該当するということはできない。
（２）引用商標３ないし引用商標１０の商標権は，いずれも商標登録原簿の記載によれば，請求人（出願人）が譲渡により取得し，その移転の申請が令和２年５月２９日になされ，本願の請求人（出願人）と当該引用商標の商標権者は，同一人になったものである。 　
　したがって，引用商標３ないし引用商標１０をもって，本願商標が商標法第４条第１項第１１号に該当するとして本願を拒絶した原査定の拒絶の理由は解消した。
（３）まとめ
　以上のとおり，本願商標が商標法第４条第１項第１１号に該当するとして，本願を拒絶した原査定は，取消しを免れない。
　その他，本願について拒絶の理由を発見しない。
　よって，結論のとおり審決する。